(57)【要約】【課題】扉の背面側に収納用のケースを備え、低コストで利便性を向上できる冷蔵庫を提供する。【解決手段】貯蔵室２の前面を開閉する扉１０の背面側に、貯蔵物を収納するケース１３を備えた冷蔵庫１において、ケース１３は、上面を開放した開口部２１ａを有して扉１０に対して着脱自在の収納部２１と、収納部２１に取り付けられて使用者が把持できるハンドル２２とを有し、ハンドル２２は開口部２１ａの上方を横断する第１の位置と、第１の位置から退避して開口部２１ａの上方を開放する第２の位置との間を可動するようにした。【選択図】図７
2008032349.tif 000002
【特許請求の範囲】
【請求項１】
貯蔵室の前面を開閉する扉の背面側に貯蔵物を収納するケースを備えた冷蔵庫において、前記ケースは上面を開放した開口部を有して前記扉に対して着脱自在の収納部と、前記収納部に取り付けられて使用者が把持できるハンドルとを有し、前記ハンドルは前記開口部の上方を横断する第１の位置と、第１の位置から退避して前記開口部の上方を開放する第２の位置との間を可動することを特徴とする冷蔵庫。
【請求項２】
前記ハンドルは第２の位置で前記収納部の前記貯蔵室側の端部に配され、前記収納部の前記貯蔵室側に面した壁面の少なくとも一部と前記ハンドルとの間に隙間が形成されることを特徴とする請求項１に記載の冷蔵庫
【請求項３】
前記収納部は前記扉の背面側に突設された平行な２つの支持壁間に配されるとともに、前記ハンドルは前記収納部の両側壁の外側からの挿入によって前記収納部に係合して支持されることを特徴とする請求項１または請求項２に記載の冷蔵庫。
【請求項４】
前記ハンドルは前記収納部の両側壁にそれぞれ回動自在に支持されるアーム部と、左右の前記アーム部間に橋架して使用者が把持する把持部とを有することを特徴とする請求項１〜請求項３のいずれかに記載の冷蔵庫。
【請求項５】
前記ハンドル及び前記収納部の一方に円形の孔部を設けるとともに前記孔部に嵌合する断面円形の軸部を他方に設け、前記孔部は径方向に突出する突出部を有し、前記軸部は径方向に突出して前記突出部に挿入されるとともに前記軸部の回動により前記収納部の壁面に係合する係合部を有し、前記突出部に前記係合部を挿通する際の前記軸部の回動角度が前記収納部の左右で異なることを特徴とする請求項４に記載の冷蔵庫。
【請求項６】
前記扉の背面は前記収納部の底面よりも下方に延びる凹部を有し、前記収納部の上部は前記凹部よりも上方と対向して前記扉の背面に接近することを特徴とする請求項１〜請求項５のいずれかに記載の冷蔵庫。
【発明の詳細な説明】
【技術分野】
【０００１】
本発明は、貯蔵室の扉の背面側に貯蔵物を収納するケースを備えた冷蔵庫に関する。
【背景技術】
【０００２】
従来の冷蔵庫は特許文献１に開示されている。この冷蔵庫は貯蔵室を開閉する扉の背面に収納用のケースを備えている。ケース内には取出し可能な回転トレイが設けられる。回転トレイには着脱自在の把手が設けられ、回転トレイは把手を取り付けて持ち運ぶことができる。これにより、回転トレイ上に載置される貯蔵物を回転トレイとともに取り出して食卓等に持ち運ぶことができる。
【０００３】
【特許文献１】特開２００３−６５６６６号公報（第３頁−第５頁、第８図）
【発明の開示】
【発明が解決しようとする課題】
【０００４】
しかしながら、上記従来の冷蔵庫によると、ケース内に回転トレイが設けられるため部品点数が多くなり冷蔵庫のコストが大きくなる問題があった。また、回転トレイに設けた把手は持ち運びする際に取り付ける必要があるため、利便性が悪い問題もあった。
【０００５】
本発明は、低コストで利便性を向上できる冷蔵庫を提供することを目的とする。
【課題を解決するための手段】
【０００６】
上記目的を達成するために本発明は、貯蔵室の前面を開閉する扉の背面側に貯蔵物を収納するケースを備えた冷蔵庫において、前記ケースは上面を開放した開口部を有して前記扉に対して着脱自在の収納部と、前記収納部に取り付けられて使用者が把持できるハンドルとを有し、前記ハンドルは前記開口部の上方を横断する第１の位置と、第１の位置から退避して前記開口部の上方を開放する第２の位置との間を可動することを特徴としている。
【０００７】
この構成によると、扉の背面に設けられたケースの収納部内に貯蔵物が収納される。収納部に可動に設けられるハンドルを第１の位置に配置すると、ハンドルが収納部の上面の開口部を横断する。これにより、ハンドルを把持して扉から取り外したケースを持ち運ぶことができる。ハンドルを第２の位置に配置すると、ハンドルが第１の位置から退避して収納部の上面の開口部が開放される。これにより、開口部を介して収納部に貯蔵物が出し入れされる。
【０００８】
また本発明は、上記構成の冷蔵庫において、前記ハンドルは第２の位置で前記収納部の前記貯蔵室側の端部に配され、前記収納部の前記貯蔵室側に面した壁面の少なくとも一部と前記ハンドルとの間に隙間が形成されることを特徴としている。この構成によると、第２の位置で収納部の端部に配されたハンドルと収納部の壁面との隙間に手指を挿入してハンドルが第１の位置に移動される。また、該隙間に挿入した手指と収納部の底面を支持する手指とによって収納部を保持してケースが取り外される。
【０００９】
また本発明は、上記構成の冷蔵庫において、前記収納部は前記扉の背面側に突設された平行な２つの支持壁間に配されるとともに、前記ハンドルは前記収納部の両側壁の外側からの挿入によって前記収納部に係合して支持されることを特徴としている。この構成によると、収納部の両側壁には孔、溝、軸等が設けられ、ハンドルの左右端はこれらに外側から挿入して嵌合する。これにより、ハンドルの左右端が収納部の両側壁の外面と支持壁との間に挟まれる。
【００１０】
また本発明は、上記構成の冷蔵庫において、前記ハンドルは前記収納部の両側壁にそれぞれ回動自在に支持されるアーム部と、左右の前記アーム部間に橋架して使用者が把持する把持部とを有することを特徴としている。この構成によると、例えば、アーム部に設けた軸部が収納部に設けた孔部に嵌合してハンドルが支持される。ハンドルは軸部を中心に回動して第１の位置と第２の位置との間を可動する。
【００１１】
また本発明は、上記構成の冷蔵庫において、前記ハンドル及び前記収納部の一方に円形の孔部を設けるとともに前記孔部に嵌合する断面円形の軸部を他方に設け、前記孔部は径方向に突出する突出部を有し、前記軸部は径方向に突出して前記突出部に挿入されるとともに前記軸部の回動により前記収納部の壁面に係合する係合部を有し、前記突出部に前記係合部を挿通する際の前記軸部の回動角度が前記収納部の左右で異なることを特徴としている。
【００１２】
この構成によると、例えば、収納部の壁面に孔部が設けられ、孔部に嵌合する軸部がハンドルに設けられる。ハンドルの軸部は係合部を突出部に挿入して孔部に嵌合される。ハンドルを回動すると、孔部に挿入された係合部が孔部の周囲と係合してハンドルが抜け止めされる。ハンドルの左右端の軸部は係合部を突出部に挿入する際の回動角度が異なり、左右の一方の軸部を孔部に挿入してハンドルを回動した後に、他方の軸部が孔部に挿入される。これにより、ハンドルの左右の軸部が同時に抜けない。孔部をハンドルに設けて軸部を収納部に設けてもよい。
【００１３】
また本発明は、上記構成の冷蔵庫において、前記扉の背面は前記収納部の底面よりも下方に延びる凹部を有し、前記収納部の上部は前記凹部よりも上方と対向して前記扉の背面に接近することを特徴としている。この構成によると、収納部の底面に手指を掛けて手指の先端が凹部に侵入し、収納部を持ち上げてケースが扉から取り外される。
【発明の効果】
【００１４】
本発明によると、収納部上面の開口部の上方を横断する第１の位置と、第１の位置から退避して開口部の上方を開放する第２の位置との間を可動するハンドルをケースに設けたので、ケースを着脱した際にハンドルを把持して持ち運ぶことができる。また、ケースを持ち運ぶ際にハンドルの装着を必要としない。従って、冷蔵庫の利便性が向上する。加えて、従来のケースにハンドルを設けるだけでよいため部品点数が著しく増加せず、低コストで持ち運び可能なケースを得ることができる。
【００１５】
また本発明によると、ハンドルを第２の位置に配した際に収納部の壁面の少なくとも一部とハンドルとの間に隙間が形成されるので、手指を隙間に挿入してハンドルを簡単に第１の位置に移動させることができる。また、手指を隙間に挿入して扉からケースを簡単に取り外すことができる。
【００１６】
また本発明によると、収納部が扉の背面側に突設された平行な２つの支持壁間に配され、ハンドルが収納部の両側壁の外側からの挿入によって収納部に係合して支持されるので、ハンドルが収納部の側壁と支持壁との間に挟まれてハンドルの脱落を防止することができる。
【００１７】
また本発明によると、ハンドルは収納部の両側壁にそれぞれ回動自在に支持されるアーム部と、左右のアーム部間に橋架して使用者が把持する把持部とを有するので、第１の位置と第２の位置とを可動するハンドルを簡単に実現することができる。
【００１８】
また本発明によると、孔部から突出する突出部に軸部から突出する係合部を挿入する際の軸部の回動角度が収納部の左右で異なるので、ハンドルの左右端が同じ回動角度で外れない。従って、ハンドルの脱落を簡単に防止することができる。
【００１９】
また本発明によると、収納部の底面よりも下方に延びる凹部を扉の背面に設けたので、手指の先端を凹部に侵入して収納部を持ち上げ、扉からケースを簡単に取り外すことができる。また、収納部の上部は凹部よりも上方と対向して扉の背面に接近するため、扉の断熱効果の低下を防止することができる。
【発明を実施するための最良の形態】
【００２０】
以下に本発明の実施形態を図面を参照して説明する。図１は一実施形態の冷蔵庫を示す正面図である。冷蔵庫１は上部に冷蔵室２を備え、冷蔵室２の下方に野菜室３が設けられ野菜室３の下方に冷凍室４が設けられる。冷蔵室２の前面は本体側に枢支された回動式の扉１０（図２参照）により開閉される。野菜室及び冷凍室４の前面は引き出し式の扉（不図示）により開閉される。
【００２１】
図２は冷蔵室２の扉１０を背面側から見た正面図である。扉１０には冷蔵室２の開口部の周囲に密着する環状のパッキン１１が周部に設けられる。扉１０は上下方向に延びて背面側に突出する平行な支持壁１０ａ、１０ｂ、１０ｃが設けられる。左右端の支持壁１０ａ、１０ｃ間に支持壁１０ｂが形成される。また、扉１０には貯蔵物を収納する着脱自在の複数のケース１２〜１６が取り付けられる。各ケース１２〜１６は取り外して清掃を行うことができる。
【００２２】
上段のケース１２は左右端の支持壁１０ａ、１０ｃにより支持され、複数の孔を有したパレットを載置して卵を収納することができる。ケース１３、１４はケース１２の下方に設けられ、ジャムや調味料等の小型の貯蔵物を収納できる高さに配置される。ケース１３は支持壁１０ａ、１０ｂにより支持され、ケース１４は支持壁１０ｂ、１０ｃにより支持される。ケース１３、１４の下方に配されるケース１５、１６は支持壁１０ａ、１０ｃにより支持され、紙パック飲料やペットボトル等を収納できる高さに配置される。
【００２３】
図３〜図５はケース１３を示す正面図、上面図及び右側面図である。ケース１３は収納部２１とハンドル２２とから成っている。収納部２１は上面を開口した開口部２１ａを有し、開口部２１ａを介して貯蔵物が載置される。収納部２１の両側壁には収納部２１を扉１０に取り付けるための溝部２１ｂが上下方向に延びて設けられる。収納部２１の前面（冷蔵室２に面した側）は上面に対して低く形成された段部２１ｃが設けられる。収納部２１の底面には左右方向に延びる複数の突起２１ｅが設けられる。
【００２４】
ハンドル２２は収納部２１の両側壁に回動自在に支持されるアーム部２２ａを有し、左右のアーム部２２ａ間に把持部２２ｂが橋架される。回動するハンドル２２のアーム部２２ａは収納部２１の側壁に端面がＬ字型に凹設されたストッパ２１ｄに当接する。これにより、ハンドル２２はアーム部２２ｂが図５に示すように上方に延びる第１の位置と、図３、図４に示すように前方（冷蔵室２側）へ延びる第２の位置とに配置できるようになっている。
【００２５】
図５に示すように、第１の位置でハンドル２２は収納部２１の開口部２１ａの上方を横断する。これにより、把持部２２ｂを把持してケース１３を持ち運ぶことができる。また、図３、図４に示すように、第２の位置でハンドル２２は第１の位置から退避して収納部２１の端部に配置され、開口部２１ａの上方を開放する。これにより、開口部２１ａを介して貯蔵物が出し入れされる。
【００２６】
ハンドル２２を第２の位置に配置した際に、把持部２２ｂと収納部２１の段部２１ｃとの間には隙間１３ａが形成されるようになっている。これにより、隙間１３ａに手指を挿入し、ハンドル２２を第２の位置から第１の位置に容易に回動することができる。また、隙間１３ａに挿入した手指と収納部２１の底面に掛けた手指とによって、ケース１３を持ち上げて扉１０から容易に取り外すことができる。段部２１ｃの上面を波形等にして隙間１３ａをケース１３の冷蔵室２側の一部に設けてもよい。また、突起２１ｅによって収納部２１の底面に容易に手指を掛けることができる。
【００２７】
尚、扉１０の開閉時に収納部２１内の貯蔵物が揺れても第２の位置に配置したハンドル２２に貯蔵物が当接する。これにより、段部２１ｃにより低くなった収納部２１の冷蔵室２側から貯蔵物が前後に揺れて飛び出すことを防ぐことができる。
【００２８】
図６、図７はケース１３を扉１０に取り付けた状態を示す正面図及び側面断面図である。扉１０の支持壁１０ａ、１０ｂには支持突起１０ｄ、１０ｅが突設される。支持突起１０ｄが収納部２１の溝部２１ｂに嵌合し、支持突起１０ｅが収納部２１の底面に当接してケース１３が扉１０に支持される。
【００２９】
溝部２１ｂは奥側の壁面が垂直に形成され、手前側の壁面は下方へ行くほど溝部２１ｂの幅が広くなるように傾斜している。溝部２１ｂに嵌合する支持突起１０ｄも同様に奥側が垂直で手前側が傾斜している。これにより、溝部２１ｂの壁面と支持突起１０ｄとの摩擦が大きくなり、ケース１３が支持突起１０ｄから容易に外れない。また、ケース１３を少し持ち上げると溝部２１ｂと支持突起１０ｄとの間の隙間が広くなるため摺動摩擦が減少し、ケース１３の取り外し性が向上する。溝部２１ｂの奥側の壁面を傾斜して手前側の壁面を垂直に形成してもよく、奥側と手前側の両方を傾斜してもよい。
【００３０】
また、溝部２１ｂは収納部２１の下端から収納部２１の上部まで延びて形成される。このため、ケース１３は下方のケース１５（図２参照）から取り出される貯蔵物が底面に当たっても、簡単に脱落しないようになっている。
【００３１】
扉１０の背面（冷蔵室２側）にはケース１３の底面よりも下方に延びる凹部１０ｆが形成される。これにより、収納部２１の底面に掛けた手指の先端を凹部１０ｆに侵入して収納部２１を深く支持し、ケース１３を持ち上げて扉１０から簡単に取り外すことができる。また、収納部２１の上部は凹部１０ｆよりも上方と対向して扉１０の背面に接近する。これにより、扉１０の厚みを確保して断熱効果の低下を防止することができる。
【００３２】
収納部２１の両側壁には孔部２１ｆが形成される。ハンドル２２のアーム部２２ａの先端には孔部２１ｆに嵌合する軸部２２ｃが設けられる。軸部２２ｃは孔部２１ｆに収納部２１の両側壁の外側から挿入され、ハンドル２２が回動自在に支持される。これにより、軸部２２ｃから延びるアーム部２２ａは、収納部２１の側壁と支持壁１０ａ、１０ｂとの間に挟まれるように配置される。従って、ケース１３を扉１０に取り付けた際にハンドル２２の脱落を防止することができる。
【００３３】
孔部２１ｆは円形に形成され、径方向に突出する突出部２１ｇが設けられる。軸部２２ｃは孔部２１ｆと嵌合する断面円形に形成され、径方向に突出する係合部２２ｄが設けられる。軸部２２ｃを孔部２１ｆに挿入する際には、係合部２２ｄが突出部２１ｇに挿通される。
【００３４】
図８、図９はハンドル２２を収納部２１の右側壁に取り付ける際のケース１３を示す右側面図及び左側面断面図である。収納部２１の右側壁に設けた孔部２１ｆの突出部２１ｇの中心線Ｂ１は鉛直方向と成す角度θ１が３０゜になっている。ハンドル２２の軸部２２ｃの係合部２２ｄはアーム部２２ａの延びた方向に軸部２２ｃから突出する。このため、ハンドル２２の右側を収納部２１に取り付ける際には、アーム部２２ａと鉛直方向との成す角度も同様に３０゜になる。
【００３５】
図１０は図９のＡ−Ａ断面図を示している。係合部２２ｄは突出部２１ｇよりも僅かに径方向に長く形成され、先端がテーパ形状になっている。これにより、係合部２２ｄはバネ性を有し、係合部２２ｄは突出部２１ｇに押し込むことにより弾性変形して孔部２１ｆの裏面側に配される。係合部２２ｄはハンドル２２の回動によって孔部２１ｆの周囲の収納部２１の側壁に係合する。これにより、軸部２２ｃが抜け止めされる。また、係合部２２ｄが突出部２１ｇよりも径方向に長いため、アーム部２２ａと鉛直方向との成す角度を３０゜にしても軸部２２ｃが容易に抜けないようになっている。
【００３６】
図１１はハンドル２２を収納部２１の左側壁に取り付ける際のケース１３を示す左側面図である。収納部２１の左側壁に設けた孔部２１ｆの突出部２１ｇの中心線Ｂ２は鉛直方向と成す角度θ２が６０゜になっている。ハンドル２２の軸部２２ｃの係合部２２ｄはアーム部２２ａが延びる方向に軸部２２ｃから突出する。このため、ハンドル２２の左側を収納部２１に取り付ける際には、アーム部２２ａと鉛直方向との成す角度も同様に６０゜になる。
【００３７】
従って、孔部２１ｆから突出する突出部２１ｇに軸部２２ｃから突出する係合部２２ｄを挿入する際の軸部２２ｃの回動角度が収納部２１の左右で異なる。これにより、ハンドル２２の左右端が同じ回動角度で外れないため、ケース１３を持ち運ぶ際のハンドル２２の脱落を簡単に防止することができる。
【００３８】
本実施形態によると、収納部２１上面の開口部２１ａの上方を横断する第１の位置と、第１の位置から退避して開口部２１ａの上方を開放する第２の位置との間を可動するハンドル２２をケース１３に設けたので、ケース１３を着脱した際にハンドル２２を把持して持ち運ぶことができる。
【００３９】
これにより、小さな食品等の貯蔵物を運ぶ際に冷蔵庫１と食卓との間を何度も往復する必要がない。また、食卓では小さな食品や調味量等をケース１３に入れたまま使用することができる。更に、従来例の回転トレイよりも収納部２１が深く形成されるため、持ち運ぶ際の貯蔵物の落下を防止することができる。加えて、ケース１３を持ち運ぶ際にハンドルの装着を必要としない。従って、冷蔵庫１の利便性が向上する。
【００４０】
また、従来のケースにハンドル２２を設けるだけでよいため部品点数が著しく増加せず、低コストで持ち運び可能なケース１３を得ることができる。
【００４１】
本実施形態において、収納部２１に孔部２１ｆを設けてハンドル２２に軸部２２ｃを設けているが、収納部２１に軸部を設けてハンドル２２に孔部を設けてもよい。更に、収納部２１の側壁を貫通する孔部２１ｆに替えて、軸部２２ｃに嵌合する貫通しない孔部を形成してもよい。この時、係合部は孔部の周壁に形成される帯状の開口に係合させることができる。
【００４２】
また、回動するハンドル２２を収納部２１に取り付けているが、スライド移動するハンドルを収納部２１に取り付けてもよい。例えば、収納部２１の側壁に前後に延びる溝を設け、ハンドル２２の先端を屈曲して溝に嵌合する。これにより、溝の案内によってハンドル２２を第１の位置と第２の位置とにスライド移動させることができる。
【００４３】
また、冷蔵室２の扉１０に設けたケース１３について説明しているが、野菜室３や冷凍室４等の他の貯蔵室の扉に設けたケースについても同様の構成により同様の効果を得ることができる。
【産業上の利用可能性】
【００４４】
本発明によると、貯蔵室の扉の背面側に貯蔵物を収納するケースを備えた冷蔵庫に利用することができる。
【図面の簡単な説明】
【００４５】
【図１】本発明の実施形態の冷蔵庫を示す正面図
【図２】本発明の実施形態の冷蔵庫の冷蔵室の扉を背面側から見た正面図
【図３】本発明の実施形態の冷蔵庫のケースを示す正面図
【図４】本発明の実施形態の冷蔵庫のケースを示す上面図
【図５】本発明の実施形態の冷蔵庫のケースを示す右側面図
【図６】本発明の実施形態の冷蔵庫のケースを扉に取り付けた状態を示す正面図
【図７】本発明の実施形態の冷蔵庫のケースを扉に取り付けた状態を示す左側面断面図
【図８】本発明の実施形態の冷蔵庫のケースを示す右側面図
【図９】本発明の実施形態の冷蔵庫のケースを示す左側面断面図
【図１０】図９のＡ−Ａ断面図
【図１１】本発明の実施形態の冷蔵庫のケースを示す左側面図
【符号の説明】
【００４６】
１    冷蔵庫
２    冷蔵室
３    野菜室
４    冷凍室
１０    扉
１２〜１６  ケース
２１    収納部
２１ａ  開口部
２１ｂ  溝部
２１ｃ  段部
２１ｄ  ストッパ部
２１ｆ  孔部
２１ｇ  突出部
２２    ハンドル
２２ａ  アーム部
２２ｂ  把持部
２２ｃ  軸部
２２ｄ  係合部
【図１】
2008032349.tif 000003
【図２】
2008032349.tif 000004
【図３】
2008032349.tif 000005
【図４】
2008032349.tif 000006
【図５】
2008032349.tif 000007
【図６】
2008032349.tif 000008
【図７】
2008032349.tif 000009
【図８】
2008032349.tif 000010
【図９】
2008032349.tif 000011
【図１０】
2008032349.tif 000012
【図１１】
2008032349.tif 000013